(57)【要約】【課題】海上部、山岳部でも経済的に斜張橋を構築可能な斜張橋の施工方法を提供すること。【解決手段】まず、主塔２ｃに斜ベントが設けられ、一方、陸上高架部の桁上では側径間の桁が地組み立てされる。つぎに、斜ベントの上に現場施工のコンクリート打設前の床版１３が架設される。地組みした前記桁は、押し出し手段で送り出され、さらに張り出されてケーブル４ａが仮連結された床版に連結される。中央径間側の床版は、張り出されて、ケーブル４ａに仮連結されると共に、既にケーブルに仮連結してある部分には現場コンクリートが打設され、これが繰り返される。コンクリートが乾燥固化した床版にはケーブル４ａが本結合され、中央径間で最後に残った桁部が併合連結される。【選択図】        図５
2008025195.tif 000002
【特許請求の範囲】
【請求項１】
主塔に斜ベントが設けられる工程と、
陸上高架部の桁上で側径間の桁が地組み立てされる工程と、
前記斜ベントの上に現場施工コンクリート打設前の床版が架設される工程と、
地組みした前記桁が送り出し手段で送り出される工程と、
前記床版がさらに張り出され、それにケーブルが仮連結されると共に、側径間に送り出された前記桁と当該床版が連結される工程と、
中央径間側の桁と前記床版が張り出されて、前記主塔からのケーブルに仮連結されると共に、既にケーブルに仮連結してある部分に現場施工コンクリートが打設され、これが繰り返される工程と、
前記現場施工コンクリートが乾燥固化した前記床版にケーブルが本連結される工程と、
中央径間で最後に残った桁部が併合連結される工程と、
を含むことを特徴とする斜張橋の施工方法。
【請求項２】
前記桁の張り出し架設時には、前記桁と合成床版とを、主塔基部からの吊上げと裏面搬送により、張り出し架設することを特徴とする請求項１に記載の斜張橋の施工方法。
【請求項３】
橋脚部にも斜ベントを設けることを特徴とする請求項１または２に記載の斜張橋の施工方法。
【発明の詳細な説明】
【技術分野】
【０００１】
本発明は、斜張橋の施工方法に関するものである。
【背景技術】
【０００２】
一般に、斜張橋は、床版の種類としてＰＣ床版、鋼床版が用いられる（例えば、特許文献１）。これらの床版は、工場で製作されたものを現場に搬送し、ケーブルで吊り上げ、連結していくのが一般的である。一方、現場施工のコンクリート床版が用いられる場合もある。
【０００３】
【特許文献１】特開平８−４１８２６号公報
【発明の開示】
【発明が解決しようとする課題】
【０００４】
しかしながら、上記ＰＣ床版や鋼床版は架設重量が大きいという特徴があり、設備が大型になってしまう他、山間部や海上への搬送も容易ではなく、経済的ではないという問題点があった。また、斜張橋では、主塔部から桁を両側に張り出しながら架設するため、現場施工のコンクリート床版を採用する場合、コンクリートの搬送が容易ではなく、また、工期の長期化が問題点であった。
【０００５】
そこで、この発明は、上記に鑑みてなされたものであって、上記問題のない、底板とコンクリートからなる床版を用いた斜張橋の施工方法を提供することを目的とする。
【課題を解決するための手段】
【０００６】
上述の目的を達成するために、この発明による斜張橋の施工方法は、主塔に斜ベントが設けられる工程と、陸上高架部の桁上で側径間の桁が地組み立てされる工程と、前記斜ベントの上に現場施工コンクリート打設前の床版が架設される工程と、地組みした前記桁が送り出し手段で送り出される工程と、前記床版がさらに張り出され、それにケーブルが仮連結されると共に、側径間に送り出された前記桁と当該床版が連結される工程と、中央径間側の桁と前記床版が張り出されて、前記主塔からのケーブルに仮連結されると共に、既にケーブルに仮連結してある部分に現場施工コンクリートが打設され、これが繰り返される工程と、前記現場施工コンクリートが乾燥固化した前記床版にケーブルが本連結される工程と、中央径間で最後に残った桁部が併合連結される工程と、を含むようにしたものである。
【０００７】
このように、この発明に係る斜張橋の施工方法では、陸上高架部を先に完成させることで、斜張橋に連結するアプローチ道路として使用可能となる。これにより、中央径間部にコンクリートや各種機材の供給が可能となる。また、斜ベントが斜張橋の床版を支持する構造とすることで、桁には床版荷重がかからないため、主塔からのケーブルを連結しない状態でも現場でコンクリートを打設可能となる。ケーブルの仮連結としたのは、斜ベントだけでも床版と主桁を支持可能であり、最終的な本連結ほど張力が必要ではないからである。
【０００８】
また、つぎの発明に係る斜張橋の施工方法は、前記斜張橋の施工方法において、前記桁の張り出し架設時には、前記桁と合成床版とを、主塔基部からの吊上げと裏面搬送により、張り出し架設するようにしたものである。
【０００９】
上記のような施工方法では、架設重量が軽いため、小型設備で張り出し架設が可能で、工費が安価となる。また、航路の占用も少なくなる。
【００１０】
また、つぎの発明に係る斜張橋の施工方法では、前記斜張橋の施工方法において、橋脚部にも斜ベントを設けるようにしたものである。
【００１１】
地組した桁を送り出しする場合に、橋脚間の距離が長いと桁の支持間隔が長くなるため、当該桁に補強が必要となる。橋脚部に斜ベントを設置すると、送り出し時の支持間隔が短くなり、桁の補強を不要とすることが出来る。
【発明の効果】
【００１２】
この発明に係る斜張橋の施工方法によれば、斜張橋設置箇所が海上部や山岳部であっても、現場施工のコンクリートを利用するので、架設時の床版が軽く、搬送が容易となり、経済的となる。また、コンクリートを現場での打設自体も、この発明に係る施工方法であれば至極合理的に打設可能で、これにより、斜張橋を構築可能となる。
【発明を実施するための最良の形態】
【００１３】
以下、この発明につき図面を参照しつつ詳細に説明する。なお、この実施例によりこの発明が限定されるものではない。また、下記実施例における構成要素には、当業者が容易に想定できるものが含まれるものとする。
【実施例】
【００１４】
図１は、本発明により施工された斜張橋の全体を示す正面図である。斜張橋１は、主塔２からのケーブル４が床版３に対して斜めに張設される橋である。床版３は、下部の主桁５と共に橋の姿勢を保持する。橋脚は、中間橋脚６、または端橋脚７と必要箇所に設けられる。なお、同図は陸上高架部８の間の海上に斜張橋が設置される場合を示すが、山岳部でも基本的に同様である。
【００１５】
図２は、この発明の実施例に係る斜張橋の施工方法（ステップ１）を示す説明図である。説明を容易にするため、この施工工程をステップ１とする。この工程では、まず、陸上高架部８の端橋脚７、橋脚６、および主塔２ｂの基礎が設けられる。陸上高架部８では、一般的な施工方法で、桁も設置される。このように、この発明に係る施工方法では、陸上高架部を先に完成させることで、斜張橋に連結するアプローチ道路として使用可能となる。これにより、後述するコンクリートや各種機材の供給が可能となる。
【００１６】
図３は、この発明の実施例に係る斜張橋の施工方法（ステップ２）を示す説明図である。この施工工程をステップ２とする。この工程では、主塔２ｂを継ぎ伸ばすと共に、当該主塔２ｂに斜ベント９を設ける。斜ベント９は、海上の台船に設置されるクレーン等を用いて主塔２ｂ周りに鋼材を設置することにより設けられる。このとき、陸上高架部８では、桁上で側径間の桁を地組み立てしておく。当該桁は合成床版、鋼床版、またはコンクリートＰＣ床版等のいずれでもよい。
【００１７】
上記のように、斜ベント９が斜張橋の床版を支持する構造とすることで、無応力状態で床版へコンクリート打設が可能となる。つまり、桁には床版荷重がかからないため、主塔からのケーブルを連結しない状態でもコンクリートを打設可能となる。
【００１８】
図４−１は、この発明の実施例に係る斜張橋の施工方法（ステップ３）を示す説明図である。この施工工程をステップ３とする。この工程では、主塔２ｂ周りの斜ベント９の上に主桁１２とそれに接合する床版１３を架設する。床版１３への現場施工コンクリートの打設は、この時点ではまだ必要ない。一方、中間橋脚６に昇降設備と送り装置１４を載せ、陸上高架部８から、地組みした桁１１を当該昇降設備と送り装置１４の先端を利用して移動台車１５等の押し出し手段で送り出す。なお、送り出す桁１１は、送り出し架設時の荷重に耐える断面とする。たとえば、桁断面構造を２主鈑桁構造とする。
【００１９】
図４−２は、橋脚６に斜ベント９を設置した例を示す説明図である。地組した桁１１を送り出しする場合に、橋脚間の距離が長いと桁の支持間隔が長くなるため、当該桁１１に補強が必要となる。斜ベント９を設置すると、送り出し時の支持間隔が短くなり、当該桁１１の補強を不要とすることが出来る。
【００２０】
図５は、この発明の実施例に係る斜張橋の施工方法（ステップ４）を示す説明図である。この施工工程をステップ４とする。この工程では、継ぎ伸ばした主塔２ｃを中心とする床版１３と主桁１２を張り出し、それにケーブル４ａを仮連結する。仮としたのは、斜ベントだけでも床版１３と主桁１２を支持可能であり、張力は基本的に不要だからである。側径間に送り出された桁１１は、昇降設備と送り装置１４を下げることにより、上記床版１３と主桁１２に連結される。なお、陸上高架部８では、桁１１の降下を支える吊下げ設備等のクレーンを載せて準備する。
【００２１】
図６は、この発明の実施例に係る斜張橋の施工方法（ステップ５）を示す説明図である。この施工工程をステップ５とする。この工程では、中央径間側の主桁２０ａ、床版２０ｂを張り出して、継ぎ伸ばした主塔２を中心としてケーブル４ｂに仮連結すると共に、既にケーブル４ａに仮連結してある部分（図の斜線部分）に現場施工コンクリートを打設する。当該打設には、陸上高架部８から側径間桁を通行可能となったので、コンクリート搬送車１６を用いればよい。ケーブル定着部は、コンクリート部を先行打設しておくか、または鋼部材とする。
【００２２】
張り出し架設した床版にはケーブル１本〜２本分ずつ、次々に現場施工のコンクリートをサイクル打設していき、これを繰り返す。打設区分のコンクリート自重は、ケーブルが鉛直荷重、桁が橋軸方向荷重を負担する。なお、中央径間側の主桁２０ａ、床版２０ｂの張り出しには、桁と床版を搭載した台船２９を主塔部桁下に設置し、桁の裏面に設けられる吊上げ、裏面軌条設備３０で架設も可能である。このようにすれば、架設重量が軽いため、小型設備で実現可能となるので、工費が安価となり、また、航路の占用も少なくなる。なお、山岳部では台船の代わりにトレーラー等を用いるが、主塔付近のみの搬入となるため、搬入道路は少なくてすむ。
【００２３】
図７は、この発明の実施例に係る斜張橋の施工方法（ステップ６）を示す説明図である。この施工工程をステップ６とする。この工程は、最終段階で、現場施工のコンクリートが所定強度に達した床版へケーブルを本連結し、斜ベントを解体する。中央径間で最後に残った桁部１７では、図６で示したように、台船２９を主塔部桁下に設置し、桁の裏面に設けられる吊上げ、裏面軌条設備３０で架設することができる。または、図７のように端部１８の吊上げ設備等のクレーンで、台船１９から桁を引き上げて、最終的に中央径間部の桁を併合連結してもよい。
【００２４】
図８は、この施工方法で用いることができる合成床版の例を示す斜視図である。合成床版２１は、たとえば、底鋼板２２にスタッドジベル２３、および一次コンクリート梁２４で構成される。一次コンクリート梁２４は、工場で打設、乾燥固化させておく。なお、一次コンクリート梁の代わりに鋼板リブを用いてもよい。そして、これらを橋軸方向に短いユニットとして現場に搬送し、桁の上に架設する。このとき重量が軽いことから、架設用のクレーンは小型のものでよい。その後、鉄筋２６の配筋作業、現場施工コンクリート２７を打設し、地覆・高欄２８を端部に付設する。なお、一次コンクリート梁２４は、図示したような梁とすることで、上面がフラットになり、コンクリート打設前に、コンクリート搬送車などの施工車両も通行可能となる。
【００２５】
以上説明したように、この発明に係る斜張橋の施工方法によれば、斜張橋設置箇所が海上部や山岳部であっても、床版が軽いので搬送が容易で、経済的となる。また、コンクリートを現場で打設する際も、コンクリート搬送車が容易に打設箇所に到達できる。また、コンクリート乾燥固化を待ってケーブル本張設という工程を繰り返し、現場施工のコンクリートを利用する床版を用いて至極合理的に斜張橋を構築可能となる。
【産業上の利用可能性】
【００２６】
以上のように、本発明にかかる斜張橋の施工方法は、海上部や山岳部に設置される斜張橋の構築に有用である。
【図面の簡単な説明】
【００２７】
【図１】本発明により施工された斜張橋の全体を示す正面図である。
【図２】斜張橋の施工方法（ステップ１）を示す説明図である。
【図３】斜張橋の施工方法（ステップ２）を示す説明図である。
【図４−１】斜張橋の施工方法（ステップ３）を示す説明図である。
【図４−２】斜張橋の中間橋脚にも斜ベントを設ける例を示す説明図である。
【図５】斜張橋の施工方法（ステップ４）を示す説明図である。
【図６】斜張橋の施工方法（ステップ５）を示す説明図である。
【図７】斜張橋の施工方法（ステップ６）を示す説明図である。
【図８】合成床版の例を示す斜視図である。
【符号の説明】
【００２８】
１  斜張橋
２、２ｂ、２ｃ  主塔
３  床版
４、４ａ、４ｂ  ケーブル
５  主桁
６  中間橋脚
７  端部橋脚
８  陸上高架部
９  斜ベント
１１、１２、２０ａ  主桁
１３、２０ｂ、２１  床版
１４  昇降設備および送り装置
１５  移動台車
１６  コンクリート搬送車
１７  桁部
１８  端部
１９、２９  台船
２２  下鋼板
２３  スタッドジベル
２４  一次コンクリート梁
２５  打継板
２６  鉄筋
２７  現場施工コンクリート
２８  高欄
３０  吊上げ、裏面搬送装置
【図１】
2008025195.tif 000003
【図２】
2008025195.tif 000004
【図３】
2008025195.tif 000005
【図４−１】
2008025195.tif 000006
【図４−２】
2008025195.tif 000007
【図５】
2008025195.tif 000008
【図６】
2008025195.tif 000009
【図７】
2008025195.tif 000010
【図８】
2008025195.tif 000011